(57)【特許請求の範囲】
【請求項１】
シートが折り畳みあるいは重ね合わされることにより袋状に形成された送付体であって、
音声情報が書き込まれ、該音声情報が出力可能な音声発生手段と、
前記音声発生手段に電源を供給する電源手段と、
前記音声発生手段と前記電源手段とが電気的に開放状態となった配線と、
前記音声発生手段から前記音声情報を出力するための操作が可能に構成され、前記送付体が袋状に形成された状態では、前記配線のうち前記音声発生手段と前記電源手段とを電気的に開放状態とするために切断されている部分と対向せず、前記シートが所定の位置にて折り曲げられた状態にて、前記配線のうち前記切断されている部分と対向するように設けられ、前記操作が行われた場合に前記配線上において前記音声発生手段と前記電源手段とを電気的に接続状態とするスイッチング手段とを有することを特徴とする送付体。
【請求項２】
シートが折り畳みあるいは重ね合わされることにより袋状に形成された送付体であって、
音声情報が書き込まれ、該音声情報が出力可能な音声発生手段と、
前記音声発生手段に電源を供給する電源手段と、
前記音声発生手段と前記電源手段とが電気的に開放状態となった配線と、
前記送付体が袋状に形成された状態にて、前記配線のうち前記音声発生手段と前記電源手段とを電気的に開放状態とするために切断されている部分と対向する位置に設けられ、導電性材料を挿入するための穴とを有することを特徴とする送付体。
【請求項３】
請求項１または請求項２に記載の送付体において、
前記音声発生手段に音声情報を書き込むための音声入力手段を有することを特徴とする送付体。
【発明の詳細な説明】
【０００１】
【発明の属する技術分野】
本発明は、郵送等の手段で送付される送付体に関し、特に、封筒等のように袋状に形成された送付体に関する。
【０００２】
【従来の技術】
従来より、ダイレクトメール等といった郵送等によって送付される送付物においては、差出人が受取人に通知したい情報が文字や画像として所定の用紙に印字されており、そのほとんどが、封筒等に封入、封緘され、受取人に送付されている。
【０００３】
また、近年においては、文字や画像として情報が印字された送付物を、折り畳んだり重ね合わせたりすることにより袋状の送付体を形成し、この送付体をそのまま送付することも行われている。
【０００４】
このような袋状に形成された送付体においては、袋状の内部に、差出人が受取人に通知したい情報が文字や画像として印字されており、また、袋状の外部に、差出人を示す情報と受取人を示す情報とが印字されており、この外部に印字された差出人を示す情報と受取人を示す情報とによって送付体が受取人に郵送等の手段によって送付されることになる。
【０００５】
また、袋状の送付体には、受取人が送付体を開封するためのミシン目が形成されており、差出人から郵送等の手段によって送付されてきた送付体を受け取った受取人は、このミシン目を用いて送付体を開封し、内部に印字された情報を見ることになる。
【０００６】
【発明が解決しようとする課題】
しかしながら、上述したような従来の送付体においては、差出人が受取人に通知したい情報が文字や画像によって印字されているだけであるため、受取人が、送付体を開封したものの、差出人が受取人に通知したい情報に興味を示さず、内部に印字された情報を読まずに捨ててしまう場合が多いという問題点がある。また、袋状の送付体の外部に印字された差出人を示す情報を見ただけで送付体を開封せずに捨ててしまう虞れもある。
【０００７】
本発明は、上述したような従来の技術が有する問題点に鑑みてなされたものであって、開封意欲を掻き立てることができ、また、未開封の状態あるいは内部に印字された情報を受取人が読まない状態において、差出人が受取人に通知したい情報の趣旨や差出人が受取人に通知したい情報の一部を受取人に通知することができる送付体を提供することを目的とする。
【０００８】
【課題を解決するための手段】
上記目的を達成するために本発明は、
シートが折り畳みあるいは重ね合わされることにより袋状に形成された送付体であって、
音声情報が書き込まれ、該音声情報が出力可能な音声発生手段と、
前記音声発生手段に電源を供給する電源手段と、
前記音声発生手段と前記電源手段とが電気的に開放状態となった配線と、
前記音声発生手段から前記音声情報を出力するための操作が可能に構成され、前記送付体が袋状に形成された状態では、前記配線のうち前記音声発生手段と前記電源手段とを電気的に開放状態とするために切断されている部分と対向せず、前記シートが所定の位置にて折り曲げられた状態にて、前記配線のうち前記切断されている部分と対向するように設けられ、前記操作が行われた場合に前記配線上において前記音声発生手段と前記電源手段とを電気的に接続状態とするスイッチング手段とを有することを特徴とする。
【００１３】
また、シートが折り畳みあるいは重ね合わされることにより袋状に形成された送付体であって、
音声情報が書き込まれ、該音声情報が出力可能な音声発生手段と、
前記音声発生手段に電源を供給する電源手段と、
前記音声発生手段と前記電源手段とが電気的に開放状態となった配線と、
前記送付体が袋状に形成された状態にて、前記配線のうち前記音声発生手段と前記電源手段とを電気的に開放状態とするために切断されている部分と対向する位置に設けられ、導電性材料を挿入するための穴とを有することを特徴とする。
【００１４】
また、前記音声発生手段に音声情報を書き込むための音声入力手段を有することを特徴とする。
【００１５】
（作用）
上記のように構成された本発明においては、シートが折り畳みあるいは重ね合わされることにより袋状に形成された送付体の内部にこの送付体の差出人が受取人に通知したい情報が印字されて送付されるが、その際、送付体に設けられた音声発生手段に、送付体の差出人が受取人に通知したい情報の趣旨あるいは送付体の差出人が受取人に通知したい情報の一部が音声情報として書き込まれて送付される。その後、送付体の受取人が、スイッチング手段を操作することによって、音声発生手段に書き込まれた音声情報が出力される。
【００１６】
ここで、スイッチング手段の操作が袋状の外部から可能に構成されている場合は、袋状の送付体が未開封の状態にて、送付体の差出人が受取人に通知したい情報の趣旨や送付体の差出人が受取人に通知したい情報の一部が受取人に通知されることになる。
【００１７】
また、袋状の送付体の開封後にスイッチング手段を操作することにより、音声発生手段に書き込まれた音声情報が出力される場合は、受取人が袋状の送付体の内部に印字された情報を読まない状態においても、送付体の差出人が受取人に通知したい情報の趣旨や差出人が受取人に通知したい情報の一部が受取人に通知されることになる。
【００１８】
【発明の実施の形態】
以下に、本発明の実施の形態について図面を参照して説明する。
【００１９】
（第１の実施の形態）
図１は、本発明の送付体の第１の実施の形態を示す図であり、（ａ）は表面図、（ｂ）は断面図、（ｃ）は送付体を開封した状態にて内部構成を示す図である。
【００２０】
本形態は図１に示すように、１枚のシートが折り畳まれ、折り畳まれて対向する部分の周囲が互いに接着されることにより袋状に形成されたものであって、袋状に形成された封筒本体１０の内部において、袋状を形成する一方の面に、音声情報が書き込まれ、該音声情報が出力可能な音声発生部２１と、音声発生部２１に電源を供給する電源２２と、音声発生部２１と電源２２とが電気的に開放状態となった配線２３とが設けられた基板２０が搭載されており、また、袋状を形成する他方の面には、配線２３のうち音声発生部２１と電源２２とを電気的に開放状態とするために切断されている部分に設けられた接点２４ａ，２４ｂと対向する位置に導電部材１５が設けられているとともに、導電部材１５と接点２４ａ，２４ｂとを隔離するためのスポンジ等からなる隔離部材１６が接着されている。なお、音声発生部２１は、音声情報が書き込まれた記憶部（不図示）と、記憶部に書き込まれた音声情報を読み出してこの音声情報を増幅する音声出力制御部（不図示）と、音声出力制御部にて増幅された音声情報を出力するスピーカ（不図示）とから構成されている。また、音声発生部２１、電源２２及び配線２３が設けられた基板２０においては、接点２４ａ，２４ｂは表面に露出している必要があるが、接点２４ａ，２４ｂ以外の領域においては、その表面に保護層や印字層等を積層してもよい。
【００２１】
また、袋状に形成された封筒本体１０の外部には、送付体の差出人を示す情報や受取人を示す情報が印字される印字領域１２と、導電部材１５が接着された裏面に形成され、音声発生部２１に書き込まれた音声情報を出力する場合に押下するための押下スイッチ１３と、音声発生部２１から出力された音声情報が封筒本体１０から出力される音声出力部１４とが設けられている。なお、導電部材１５と押下スイッチ１３と隔離部材１６とによってスイッチング手段が構成されている。
【００２２】
以下に、上記のように構成された送付体の利用方法及びその際の動作について説明する。
【００２３】
本形態における送付体は、図１（ａ）に示すように、印字領域１２に差出人を示す情報や受取人を示す情報が印字され、袋状となって受取人に送付される。また、封筒本体１０の内部には、図１（ｃ）に示すように差出人が受取人に通知したい情報が印字領域１７に文字や画像によって印字されており、また、音声発生部２１には、印字領域１７に印字された情報の趣旨や印字領域１７に印字された情報の一部が音声情報として書き込まれている。なお、この状態においては、封筒内部１０に設けられた導電部材１５と基板２０上に設けられた配線２３の接点２４ａ，２４ｂとは、隔離部材１６によって互いに接触していない状態となっている。
【００２４】
送付体を受取人が受け取り、押下スイッチ１３を押下すると、その圧力によって隔離部材１６が変形し、押下スイッチ１３の裏面に設けられた導電部材１５と基板２０上の接点２４ａ，２４ｂとが接触する。
【００２５】
すると、導電部材１５によって接点２４ａと接点２４ｂとが導通し、それにより、配線２３を介して電源２２と音声発生部２１とが電気的に接続状態となり、電源２２から音声発生部２１に電源が供給される。
【００２６】
電源２２から音声発生部２１に電源が供給されると、音声発生部２１に書き込まれた音声情報が読み出され、音声出力部１４を介して出力される。
【００２７】
その後、図１（ｃ）に示すように、送付体の受取人がミシン目１１を用いて封筒本体１０を開封した場合、印字領域１７に印字された情報を見ることになる。
【００２８】
（第２の実施の形態）
図２は、本発明の送付体の第２の実施の形態を示す図であり、（ａ）は表面図、（ｂ）は送付体を開封した状態にて内部構造を示す図、（ｃ）は開封した送付体が所定の位置にて折り曲げられた状態を示す図である。
【００２９】
本形態は図２に示すように、１枚のシートが折り畳まれ、折り畳まれて対向する部分の周囲が互いに接着されることにより袋状に形成されたものであって、袋状に形成された封筒本体１１０の内部において、袋状を形成する一方の面に、音声情報が書き込まれ、該音声情報が出力可能な音声発生部１２１と、音声発生部１２１に電源を供給する電源１２２と、音声発生部１２１と電源１２２とが電気的に開放状態となった配線１２３とが設けられた基板１２０が搭載されており、また、袋状を形成する他方の面には、予め設定された折り線１１８を介して封筒本体１１０を折り曲げた場合に、配線１２３のうち音声発生部１２１と電源１２２とを電気的に開放状態とするために切断されている部分に設けられた接点１２４ａ，１２４ｂと対向する位置に導電部材１１５が設けられている。なお、音声発生部１２１は、音声情報が書き込まれた記憶部（不図示）と、記憶部に書き込まれた音声情報を読み出してこの音声情報を増幅する音声出力制御部（不図示）と、音声出力制御部にて増幅された音声情報を出力するスピーカ（不図示）とから構成されている。また、音声発生部１２１、電源１２２及び配線１２３が設けられた基板１２０においては、接点１２４ａ，１２４ｂは表面に露出している必要があるが、接点１２４ａ，１２４ｂ以外の領域においては、その表面に保護層や印字層等を積層してもよい。
【００３０】
また、袋状に形成された封筒本体１１０の外部には、送付体の差出人を示す情報や受取人を示す情報が印字される印字領域１１２と、導電部材１１５が接着された裏面に形成され、音声発生部１２１に書き込まれた音声情報を出力する場合に押下するための押下スイッチ１１３とが設けられている。なお、導電部材１１５と押下スイッチ１１３とによってスイッチング手段が構成されている。
【００３１】
以下に、上記のように構成された送付体の利用方法及びその際の動作について説明する。
【００３２】
本形態における送付体は、図２（ａ）に示すように、印字領域１１２に差出人を示す情報や受取人を示す情報が印字され、袋状となって受取人に送付される。また、封筒本体１１０の内部には、図２（ｂ）に示すように差出人が受取人に通知したい情報が印字領域１１７に文字や画像によって印字されており、また、音声発生部１２１には、印字領域１１７に印字された情報の趣旨や印字領域１１７に印字された情報の一部が音声情報として書き込まれている。なお、この状態においては、封筒内部１１０に設けられた導電部材１１５と基板１２０上に設けられた配線１２３の接点１２４ａ，１２４ｂとは、互いに対向していない。
【００３３】
送付体を受取人が受け取り、図２（ｂ）に示すようにミシン目１１１を用いて封筒本体１１０を開封し、封筒本体１１０の内部に印字されている折り線１１８を介して封筒本体１１０を折り曲げると、封筒本体１１０の内部に設けられた導電部材１１５と基板１２０上の接点１２４ａ，１２４ｂとが互いに対向するようになる。
【００３４】
この状態において導電部材１１５の裏面に設けられた押下スイッチ１１３を押下すると、導電部材１１５と接点１２４ａ，１２４ｂとが接触する。
【００３５】
すると、導電部材１１５によって接点１２４ａと接点１２４ｂとが導通し、それにより、配線１２３を介して電源１２２と音声発生部１２１とが電気的に接続状態となり、電源１２２から音声発生部１２１に電源が供給される。
【００３６】
電源１２２から音声発生部１２１に電源が供給されると、音声発生部１２１に書き込まれた音声情報が読み出され、出力される。
【００３７】
（第３の実施の形態）
図３は、本発明の送付体の第３の実施の形態を示す図であり、（ａ）は表面図、（ｂ）は送付体を開封した状態にて内部構造を示す図、（ｃ）は開封した送付体が所定の位置にて折り曲げられた状態を示す図である。
【００３８】
本形態は図３に示すように、１枚のシートが折り畳まれ、折り畳まれて対向する部分の周囲が互いに接着されることにより袋状に形成されたものであって、袋状に形成された封筒本体２１０の内部において、袋状を形成する一方の面に、音声情報が書き込まれ、該音声情報が出力可能な音声発生部２２１と、音声発生部２２１に電源を供給する電源２２２と、音声発生部２２１と電源２２２とが電気的に開放状態となった配線２２３とが設けられた基板２２０が搭載されており、また、予め設定された折り線２１８を介して封筒本体２１０を折り曲げた場合に、配線２２３のうち音声発生部２２１と電源２２２とを電気的に開放状態とするために切断されている部分に設けられた接点２２４ａ，２２４ｂと対向する位置にスイッチング手段である導電部材２１５が設けられている。なお、音声発生部２２１は、音声情報が書き込まれた記憶部（不図示）と、記憶部に書き込まれた音声情報を読み出してこの音声情報を増幅する音声出力制御部（不図示）と、音声出力制御部にて増幅された音声情報を出力するスピーカ（不図示）とから構成されている。また、音声発生部２２１、電源２２２及び配線２２３が設けられた基板２２０においては、接点２２４ａ，２２４ｂは表面に露出している必要があるが、接点２２４ａ，２２４ｂ以外の領域においては、その表面に保護層や印字層等を積層してもよい。
【００３９】
また、袋状に形成された封筒本体２１０の外部には、送付体の差出人を示す情報や受取人を示す情報が印字される印字領域２１２が設けられている。
【００４０】
以下に、上記のように構成された送付体の利用方法及びその際の動作について説明する。
【００４１】
本形態における送付体は、図３（ａ）に示すように、印字領域２１２に差出人を示す情報や受取人を示す情報が印字され、袋状となって受取人に送付される。また、封筒本体２１０の内部には、図３（ｂ）に示すように差出人が受取人に通知したい情報が印字領域２１７に文字や画像によって印字されており、また、音声発生部２２１には、印字領域２１７に印字された情報の趣旨や印字領域２１７に印字された情報の一部が音声情報として書き込まれている。なお、この状態においては、封筒内部２１０に設けられた導電部材２１５と基板２２０上に設けられた配線２２３の接点２２４ａ，２２４ｂとは、互いに対向していない。
【００４２】
送付体を受取人が受け取り、図３（ｂ）に示すようにミシン目２１１を用いて封筒本体２１０を開封し、封筒本体２１０にミシン目等によって形成された折り線２１８を介して封筒本体２１０を折り曲げると、封筒本体２１０の内部に設けられた導電部材２１５と基板２２０上の接点２２４ａ，２２４ｂとが接触する。
【００４３】
すると、導電部材２１５によって接点２２４ａと接点２２４ｂとが導通し、それにより、配線２２３を介して電源２２２と音声発生部２２１とが電気的に接続状態となり、電源２２２から音声発生部２２１に電源が供給される。
【００４４】
電源２２２から音声発生部２２１に電源が供給されると、音声発生部２２１に書き込まれた音声情報が読み出され、出力される。
【００４５】
（第４の実施の形態）
図４は、本発明の送付体の第３の実施の形態を示す図であり、（ａ）は表面図、（ｂ）は断面図、（ｃ）は送付体を開封した状態にて内部構成を示す図、（ｄ）は封筒本体に形成された穴にクリップを差し込んだ状態を示す図である。
【００４６】
本形態は図４に示すように、１枚のシートが折り畳まれ、折り畳まれて対向する部分の周囲が互いに接着されることにより袋状に形成されたものであって、袋状に形成された封筒本体３１０の内部において、袋状を形成する一方の面に、音声情報が書き込まれ、該音声情報が出力可能な音声発生部３２１と、音声発生部３２１に電源を供給する電源３２２と、音声発生部３２１と電源３２２とが電気的に開放状態となった配線３２３とが設けられた基板３２０が搭載されており、また、袋状を形成する他方の面には、配線３２３のうち音声発生部３２１と電源３２２とを電気的に開放状態とするために切断されている部分に設けられた接点３２４ａ，３２４ｂと対向する位置に操作領域である穴３１３が形成されている。なお、音声発生部３２１は、音声情報が書き込まれた記憶部（不図示）と、記憶部に書き込まれた音声情報を読み出してこの音声情報を増幅する音声出力制御部（不図示）と、音声出力制御部にて増幅された音声情報を出力するスピーカ（不図示）とから構成されている。また、音声発生部３２１、電源３２２及び配線３２３が設けられた基板３２０においては、接点３２４ａ，３２４ｂは表面に露出している必要があるが、接点３２４ａ，３２４ｂ以外の領域においては、その表面に保護層や印字層等を積層してもよい。
【００４７】
また、袋状に形成された封筒本体３１０の外部には、送付体の差出人を示す情報や受取人を示す情報が印字される印字領域３１２と、音声発生部３２１から出力された音声情報が封筒本体３１０から出力される音声出力部３１４とが設けられている。
【００４８】
以下に、上記のように構成された送付体の利用方法及びその際の動作について説明する。
【００４９】
本形態における送付体は、図４（ａ）に示すように、印字領域３１２に差出人を示す情報や受取人を示す情報が印字され、袋状となって受取人に送付される。また、封筒本体３１０の内部には、図４（ｃ）に示すように差出人が受取人に通知したい情報が印字領域３１７に文字や画像によって印字されており、また、音声発生部３２１には、印字領域３１７に印字された情報の趣旨や印字領域３１７に印字された情報の一部が音声情報として書き込まれている。
【００５０】
送付体を受取人が受け取り、封筒本体３１０に形成された穴３１３に導電性材料からなるクリップ３３０を挿入すると、図４（ｄ）に示すように、穴３１３に挿入されたクリップ３３０と基板３２０上の接点３２４ａ，３２４ｂとが接触する。
【００５１】
すると、クリップ３３０によって接点３２４ａと接点３２４ｂとが導通し、それにより、配線３２３を介して電源３２２と音声発生部３２１とが電気的に接続状態となり、電源３２２から音声発生部３２１に電源が供給される。
【００５２】
電源３２２から音声発生部３２１に電源が供給されると、音声発生部３２１に書き込まれた音声情報が読み出され、音声出力部３１４を介して出力される。
【００５３】
その後、図４（ｃ）に示すように、送付体の受取人がミシン目３１１を用いて封筒本体３１０を開封した場合、印字領域３１７に印字された情報を見ることになる。
【００５４】
なお、封筒本体３１０に形成された穴３１３においては、封筒本体３１０を作成する際に形成せずに、ミシン目等によって形成可能に構成しておき、送付体の受取人がミシン目を用いて形成することや、穴３１３をシール等で覆っておき、送付体の受取人がこのシールを剥がすことにより穴３１３を露出させることも考えられる。
【００５５】
また、上述した４つの実施の形態においては、音声発生部２１，１２１，２２１，３２１に音声情報が予め書き込まれたものについて説明したが、基板２０，１２０，２２０，３２０に、音声情報を入力するための音声情報入力手段となるマイク等を搭載し、音声発生部２１，１２１，２２１，３２１が封筒本体１０，１１０，２１０，３１０に搭載された後に音声情報を音声発生部２１，１２１，２２１，３２１に書き込むことも考えられる。なお、その場合は、音声発生部２１，１２１，２２１，３２１に対して、音声情報入力手段を介して音声情報を入力するタイミングを通知する手段を設ける必要がある。
【００５６】
また、上述した４つの実施の形態においては、１枚のシートが折り畳まれ、折り畳まれて対向する部分の周囲が互いに接着されることにより袋状に形成されたものについて説明したが、２枚のシートが重ね合わされ、その周囲が互いに接着されることにより袋状に形成されたものにおいても、本発明を適用することができる。
【００５７】
【発明の効果】
以上説明したように本発明においては、シートが折り畳みあるいは重ね合わされることにより袋状に形成された送付体に、音声情報が書き込まれその音声情報が出力可能な音声発生手段と、音声発生手段から音声情報を出力するための操作が可能に構成されたスイッチング手段とを設けたため、送付体の差出人が受取人に通知したい情報の趣旨あるいは送付体の差出人が受取人に通知したい情報の一部を音声情報として音声発生手段に書き込んで送付すれば、その後、送付体の受取人が、スイッチング手段を操作することによって、音声発生手段に書き込まれた音声情報が出力されることになり、受取人が袋状の送付体の内部に印字された情報を読まない状態においても、送付体の差出人が受取人に通知したい情報の趣旨や差出人が受取人に通知したい情報の一部を受取人に通知することができる。
【００５８】
また、スイッチング手段の操作が袋状の外部から可能に構成されているものにおいては、袋状の送付体が未開封の状態にて、送付体の差出人が受取人に通知したい情報の趣旨や送付体の差出人が受取人に通知したい情報の一部を受取人に通知することができ、送付体の開封意欲を掻き立てることができる。
【図面の簡単な説明】
【図１】本発明の送付体の第１の実施の形態を示す図であり、（ａ）は表面図、（ｂ）は断面図、（ｃ）は送付体を開封した状態にて内部構成を示す図である。
【図２】本発明の送付体の第２の実施の形態を示す図であり、（ａ）は表面図、（ｂ）は送付体を開封した状態にて内部構造を示す図、（ｃ）は開封した送付体が所定の位置にて折り曲げられた状態を示す図である。
【図３】本発明の送付体の第３の実施の形態を示す図であり、（ａ）は表面図、（ｂ）は送付体を開封した状態にて内部構造を示す図、（ｃ）は開封した送付体が所定の位置にて折り曲げられた状態を示す図である。
【図４】本発明の送付体の第３の実施の形態を示す図であり、（ａ）は表面図、（ｂ）は断面図、（ｃ）は送付体を開封した状態にて内部構成を示す図、（ｄ）は封筒本体に形成された穴にクリップを差し込んだ状態を示す図である。
【符号の説明】
１０，１１０，２１０，３１０    封筒本体
１１，１１１，２１１，３１１    ミシン目
１２，１７，１１２，１１７，２１２，２１７，３１２，３１７    印字領域
１３，１１３    押下スイッチ
１４，３１４    音声出力部
１５，１１５，２１５    導電部材
１６，３１６    隔離部材
２０，１２０，２２０，３２０    基板
２１，１２１，２２１，３２１    音声発生部
２２，１２２，２２２，３２２    電源
２３，１２３，２２３，３２３    配線
２４ａ，２４ｂ，１２４ａ，１２４ｂ，２２４ａ，２２４ｂ，３２４ａ，３２４ｂ    接点
１１８，２１８    折り線
３１３    穴
３３０    クリップ
【図１】
0004015410.tif 000002
【図２】
0004015410.tif 000003
【図３】
0004015410.tif 000004
【図４】
0004015410.tif 000005